(57)【要約】【構成】頭巾シートは、カバー袋内に浮材を封入することによって形成し、かつ、前記頭巾シートの両側下端部にベルト貫通穴を設け、締め付けベルトを貫通して前記頭巾シートの背面に架け渡すとともに前面で締め付け可能とし、かつ前記頭巾シートの後端上部に支持ベルトの上端を固定するとともにその下端を前記締め付けベルトのほぼ中央部に摺動可能に連結した防災頭巾である。【効果】津波、高潮等の水害にも対応できる防災頭巾を提供することができる。【選択図】    図３
0003177124.tif 000002
【実用新案登録請求の範囲】
【請求項１】
断面を略逆Ｖ字状に形成した頭巾シートを備え、この頭巾シートの互いに対向する上部後端縁を着脱可能に連結し、かつ、前記頭巾シートの両側面に、係止具を設けこの係止具によって互いに対向する頭巾シートの前端縁の適宜位置を着脱可能に連結する防災頭巾において、前記頭巾シートは、カバー袋内に浮材をほぼ均一な厚さに封入することによって形成し、かつ、前記頭巾シートの両側下端部にベルト貫通穴を設け、これらのベルト貫通孔に締め付けベルトを貫通して前記頭巾シートの背面に架け渡すとともに前面で締め付け可能とし、かつ前記頭巾シートの後端上部に支持ベルトの上端を固定するとともにその下端を前記締め付けベルトのほぼ中心部に摺動可能に連結したことを特徴とする防災頭巾。
【請求項２】
前記カバー袋を、所用数の長方形状の袋部を水平方向に併設することによって構成し、その袋部内に浮材として発泡樹脂を封入したことを特徴とする請求項１の防災頭巾。
【請求項３】
前記頭巾シートにヒンジ部を形成し、このヒンジ部を前記頭巾シートの後端縁にほぼ平行に延ばし、前記頭巾シートの前端部を後方へ折り畳み可能としたことを特徴とする請求項１または請求項２の防災頭巾。
【考案の詳細な説明】
【技術分野】
【０００１】
この考案は防災頭巾に関し、地震等の災害時、特に同時に津波、高潮等の水害が予想される災害時に使用されるものである。
【背景技術】
【０００２】
防災頭巾は頭部を保護するための簡易な防具であり、丈夫な布製の袋に綿などの緩衝材を入れたものを張り合わせ頭にかぶるようにしたものである。従来より様々な製品が考案され、普段は座布団として用いることのできるもの、避難後は毛布として使用できるものも存在した。
【０００３】
【特許文献１】実登録第３０２８３２０号公報
【考案の開示】
【考案が解決しようとする課題】
【０００４】
ところで地震の災害時には津波、高潮等の水害も予想されるものである。しかしながら従来の防災頭巾にあってはこれらの水害に対する対応が全くされていないのが現状であった。
【０００５】
水害にも対応できる防災頭巾を提供することがこの考案の課題である。
【課題を解決するための手段】
【０００６】
前記課題を達成するために、この考案に係る防災頭巾においては、  断面を略逆Ｖ字状に形成した頭巾シートを備え、この頭巾シートの互いに対向する上部後端縁を着脱可能に連結し、かつ、前記頭巾シートの両側面に、係止具を設けこの係止具によって互いに対向する頭巾シートの前端縁の適宜位置を着脱可能に連結する防災頭巾において、前記頭巾シートは、カバー袋内に浮材をほぼ均一な厚さに封入することによって形成し、かつ、前記頭巾シートの両側下端部にベルト貫通穴を設け、これらのベルト貫通孔に締め付けベルトを貫通して前記頭巾シートの背面に架け渡すとともに前面で締め付け可能とし、かつ前記頭巾シートの後端上部に支持ベルトの上端を固定するとともにその下端を前記締め付けベルトのほぼ中央部に摺動可能に連結したものである。
【０００７】
この場合、前記カバー袋を、所用数の長方形状の袋部を水平方向に併設することによって構成し、その袋部内に浮材として発泡樹脂を封入することもできる。
【０００８】
また、前記頭巾シートにヒンジ部を形成し、このヒンジ部を前記頭巾シートの後端縁にほぼ平行に延ばし、前記頭巾シートの前端部を後方へ折り畳み可能とすることもできる。
【考案の効果】
【０００９】
この考案に係る防災頭巾は前記のように構成されているため、使用者が頭巾シートの上部後端縁を連結した状態で頭にかぶり頭巾シートの前側で係止具を止めれば防災頭巾として使用でき、また使用者がそのままの状態で、頭巾シートの上部後端縁の連結を離し、支持ベルトと締め付けベルトとの間にそれぞれ対応する腕をとおした後、頭巾シートを頭から後方にずらして首に巻くようにし、この状態で前側で締め付けベルトを締めればライフジャケットとして使用することができるものである。
【００１０】
よって、この防災頭巾を使用すれば、津波、高潮等の水害にも対応できる防災頭巾を提供することができる。
【００１１】
この場合、前記カバー袋を、所用数の長方形状の袋部を水平方向に併設することによって構成し、その袋部内に浮材として発泡樹脂を封入すれば、防災頭巾としての緩衝性を高めることができるとともにライフジャケットとしての浮力を充分に維持することができる。
【００１２】
また、前記頭巾シートにヒンジ部を形成し、このヒンジ部を前記頭巾シートの後端縁にほぼ平行に延ばし、前記頭巾シートの前端部を後方へ折り畳み可能とすれば、ライフジャケットとして使用した場合、使用者の首回りの浮力をより大きくすることができるため、ライフジャケットとしての機能はより向上する。
【００１３】
この考案に係る防災頭巾を実施するにあたって次の特徴を有する。
【００１４】
「頭巾シートのカバー袋」は、所用数の長方形状の袋部を水平方向に併設することによって構成し、その袋部内に浮材として発泡樹脂板を封入したものである。
【００１５】
「頭巾シートの後部上端縁」はフックによって着脱可能に連結するのが望ましい。
【００１６】
「浮材」としては発泡樹脂板、例えば発泡ポリエチレンフォーム板を使用する。
【００１７】
「係止具」は先端にワンタッチ連結具の付いたベルト状のものである。
【００１８】
「締め付けベルト」はその両端には一組のワンタッチ式の連結具が各々取り付けられたものであり、環状に連結できるものである。
【実施例】
【００１９】
以下、この考案の実施例を図面に基づいて説明する。
【００２０】
図１はこの考案に係る防災頭巾の前面斜視図、図２は同背面斜視図、図３は同頭巾シートの上部後端縁を離した状態の背面斜視図、図４はライフジャケットとして使用した場合の前面斜視図、図５は同背面斜視図、図６は図１におけるVI―VI線断面図、図７は図１におけるVII―VII線断面図である。
【００２１】
図１〜図５において、Ａは防災頭巾、１０はその頭巾シートである。この頭巾シートは断面がほぼ逆Ｖ字状に形成され、使用者Ｍの頭にかぶせ易いようになっている。
【００２２】
１１は前記頭巾シート１０のカバー袋であり、図６及び図７に示すように縫製によって複数の袋部１１、１１、…に仕切られている。これらの袋部１１、１１、…は長方形状であり、水平方向に並んでいる。
【００２３】
Ｆ、Ｆ、…は発泡ポリエチレンフォーム板(この考案の「浮材」に相当する)であり、前記袋部１１、１１、…内に封入されている。この発泡ポリエチレンフォーム板は防災頭巾Ａの緩衝性を高めるとともにライフジャケットとしての浮力を維持するためのものである。
【００２４】
なお１３はヒンジ部であり、前記頭巾シート１０の後端縁に沿ってほぼ平行に延びている。１４、１４、…は前記カバー袋の周縁に縫製された補強布である。また１５、１５、…は係止フックであり、前記頭巾シート１０の上部後端縁に設置されている。この係止フック１５、１５、…は図２に示すように前記頭巾シート１０の上部後端縁を連結したり、また図３に示すように離したりする。
【００２５】
２０、２０は係止ベルト(この考案の「係止具」に相当する)であり、前記頭巾シート１０の両側面に設置されている。この係止ベルト２０、２０は防災頭巾Ａをかぶった時に、その前側を先端係止部２１、２１によって、図１に示すように着脱可能に止める。
【００２６】
１６、１６、…はベルト貫通環(この考案の「ベルト貫通孔」に相当する)であり、前記頭巾シート１０の両側下端部に設置されている。このベルト貫通環１６、１６、…は布テープを環状にして前記頭巾シート１０の下端縁に逢着したものである。
【００２７】
３０は締め付けベルトであり、このベルト貫通環１６、１６、…に貫通されている。この締め付けベルトは前記頭巾シート１０の背面に架け渡され、その両端は前記頭巾シートの前面に至っている(図２〜図５参照のこと)。そしてその先端係止具３１、３１を着脱可能に止めることができる。
【００２８】
また図３及び図５において、５０は支持ベルトであり、前記頭巾シート１０の後端上部にその上端が固定されている。この支持ベルト５０は下方に延び、その下端は前記締め付けベルト３０のほぼ中心部に摺動可能に巻きつけた状態で連結されている。
【００２９】
この防災頭巾Ａを防災頭巾として使用する場合は、図１及び図２に示すように、使用者Ｍが頭巾シート１０の上部後端縁を連結した状態で頭にかぶり頭巾シート１０の前側で係止ベルト２０、２０を止めれば防災頭巾として使用でき、また、図３に示すように使用者Ｍがそのままの状態で、頭巾シート１０の上部後端縁の連結を離し、図４、図５に示すように支持ベルト５０と締め付けベルト６０との間にそれぞれ対応する腕をとおした後、頭巾シート１０を頭から後方にずらして首に巻き、ヒンジ部１３に沿って頭巾シート１０の前端部を後方に折り畳み、この状態で頭巾シート１０の前側で締め付けベルト６０を締めればライフジャケットとして使用することができる。
【産業上の利用可能性】
【００３０】
この考案に係る防災頭巾を使用すれば、津波、高潮等の水害にも対応することができる。よって、産業上の利用可能性は高いものである。
【図面の簡単な説明】
【００３１】
【図１】図１はこの考案に係る防災頭巾の前面斜視図である。
【図２】図２は同背面斜視図である。
【図３】図３は同頭巾シートの上部後端縁を離した状態の背面斜視図である。
【図４】図４はライフジャケットとして使用した場合の前面斜視図である。
【図５】図５は同背面斜視図である。
【図６】図６は図１におけるVI―VI線断面図である。
【図７】図７は図１におけるVII―VII線断面図である。
【符号の説明】
【００３２】
Ａ  …  防災頭巾、
Ｆ  …  発泡ポリエチレンフォーム板(浮材)
Ｍ  …  使用者
１０  …  頭巾シート
１１  …  カバー袋
１３  …  ヒンジ部
１４  …  補強布
１５  …  係止フック
１６  …  ベルト貫通環(ベルト貫通孔) 
２０  …  係止ベルト(係止具)
２１  …  先端係止部
３０  …  締め付けベルト
３１  …  先端係止具
５０  …  支持ベルト
【図１】
0003177124.tif 000003
【図２】
0003177124.tif 000004
【図３】
0003177124.tif 000005
【図４】
0003177124.tif 000006
【図５】
0003177124.tif 000007
【図６】
0003177124.tif 000008
【図７】
0003177124.tif 000009